(57)【特許請求の範囲】
【請求項１】
履物の内底面に配置し、着用者の脛骨の下方の足裏位置に圧接することで該着用者に身体の中心線を認識させるようにした身体機能向上具。
【請求項２】
請求項１記載の身体機能向上具は、弾性素材により成形したものである身体機能向上具。
【請求項３】
請求項１記載の身体機能向上具は、棒状体の下面を平面に、上面を凸湾曲面に形成したものである身体機能向上具。
【請求項４】
請求項１記載の身体機能向上具は、着用者の足裏の全長を１００として踵から足先に向けて略２０／１００〜３０／１００以内の位置に配置するものである身体機能向上具。
【請求項５】
請求項１記載の身体機能向上具は、軟質材からなる支持片に埋設した状態で支持させ、該支持片を前記履物の内底面に貼着することにより配置するようにしてある身体機能向上具。
【請求項６】
請求項１記載の身体機能向上具は、前記履物の中敷表面又は裏面に固定して配置してある身体機能向上具。
【発明の詳細な説明】
【技術分野】
【０００１】
本発明は、歩行時にも、スポーツ等の運動時にも身体の中心を認識させることによって身体から無駄な力を抜いて円滑に動かすことができるようにし、運動能力を向上させることができるようにした身体機能向上具に関する。
【背景技術】
【０００２】
人が歩いたり、走ったり或いはジャンプしたりする場合の足裏は、通常は拇趾球を中心とする足指の付け根、所謂横足弓で地面を蹴るような感覚で動いている。このことは、運動靴の外底面のうち拇趾球の位置に対応する位置に地面との摩擦力を高めるためのグリップ模様を成形していることからも知ることができる。
【０００３】
しかし、人が全身の筋力を無駄なく、効率的に発揮できるのは、身体の中心線上に身体の抗力を集中させたときである。つまり、他の物質と同様に人の身体にも引力による重力が働いており、この重力は身体の中心を通って足裏を介して地面に伝えられている。この重力に対して人は骨格を筋力によって支えることで生まれる抗力で身体を支えており、直立の姿勢で起立した状態の場合に抗力を最大限に発揮することができるが、それは重力が通る中心線に抗力が一致しているからである。従って、この重力が作用する中心線が通る足裏の位置を認識することによって、最大の抗力を得ることができるのであるが、このような重力の作用点を潜在的にも認識して抗力を最大に得ることで高い運動能力を発揮しているのは一流のアスリートのみである。
【０００４】
一流のアスリート以外の人は、身体の中心線を認識して行動していないのが通常であり、このために身体の各部位に無駄な力を使っていることから運動能力を十分に発揮できないという結果になっている。このことは、運動時に限らず歩行時にも姿勢が悪いと疲れやすい、体を痛めるということからも理解される。
【０００５】
そこで、アスリート以外の人にも、身体の中心線が通る足裏のポイントＡを知覚させて身体の中心線を意識させることにより、歩行、走行、跳躍の運動時に身体に無駄な力を使うことなく身体に掛る重力に対して抗力を最大限に働かせることで効率のよい動きを行うことが出来る。
【特許文献１】なし
【発明の開示】
【発明が解決しようとする課題】
【０００６】
しかし、従来の靴は足とのフィット感や履き心地を主眼にして制作してあり、また運動靴も横足弓に力を掛ける構造になっており、身体の重心を通るポイントＡを認識させる仕組みに着目した履物或いは用具等の提案はされていなかった。
【０００７】
本発明は、従来の未解決の問題点に鑑み本発明者が鋭意研究した結果なされたもので、単に足裏や所謂ツボを刺激するものではなく、着用者が足裏のポイントＡを知覚することで、身体の無駄な力を抜いて良い姿勢で安定性良く疲れも少なく歩くことができるし、運動者は体の軸を意識して全身の力を無駄なく効果的に活用できることで運動能力を更に発揮することができる身体機能向上具を提供することを目的とする。
【課題を解決するための手段】
【０００８】
上述した課題を解決するために構成された本発明の手段は、履物の内底面に配置し、着用者の脛骨の下方の足裏位置に圧接することで該着用者に身体の中心線を認識させるようにしたものからなる。
【０００９】
そして、身体機能向上具は、弾性素材により成形するとよい。
【００１０】
また、身体機能向上具は、棒状体の下面を平面に、上面を凸湾曲面に形成したものにするとよい。
【００１１】
更に、身体機能向上具は、着用者の足裏の全長を１００として踵から足先に向けて略２０／１００〜３０／１００以内の位置に配置するとよい。
【００１２】
また、身体機能向上具は、軟質材からなる支持片に埋設した状態で支持させ、該支持片を前記履物の内底面に貼着することにより配置してもよい。
【００１３】
更にまた、身体機能向上具は、前記履物の中敷表面又は裏面に固定して配置してもよい。
【発明の効果】
【００１４】
本発明は上述の如く構成したから、下記の諸効果を奏する。
（１）身体に掛る重力とこれを打消す抗力が働く中心線が通る足裏位置、即ち着用者の脛骨の下方の足裏位置に圧接することで、着用者は身体の中心線を認識することにより、身体に無駄な力を使うことなく抗力を効果的に働かせて重力を打消すことができ、歩行や運動を楽に行うことができる。
（２）身体機能向上具は弾性素材により成形してあるから、足裏面への当りを和らげることができ長時間にわたって快適な使用感を得ることができる。
（３）身体機能向上具は下面を平面に、上面を凸湾曲面に形成してあるから、履物の内底面に対して安定良く配置できると共に、足裏に痛みを感じさせること無く身体の中心線を認識させることができる。
（４）身体機能向上具は着用者の足裏の全長を１００とした場合、踵から足先に向けて２０／１００〜３０／１００以内の位置に配置することで、誰でも面倒なく抗力を作用させるポイントＡに身体機能向上具を正確に配置することができる。
（５）身体機能向上具は、履物の内底面に直接配置することも、中敷を設けた履物では中敷の表面又は裏面に固定して配置することもできるものであり、着用者に使用上の自由度がある。
【発明を実施するための最良の形態】
【００１５】
以下、本発明の実施の形態について詳述する。図において、１は身体機能向上具を示す。該身体機能向上具１は着用者が足５１に着用する運動靴６の内側に設けるもので、足裏５１Ａに痛みを与えることがなく、かつ位置を認識することができる適度の硬さを持ったゴム等の弾性材料によって、下面１Ａは平坦面に、上面１Ｂは凸湾曲面になった横長の伸し餅状に形成したものからなる。なお、本実施の形態では身体機能向上具１を、高さ約０，５〜１ｃｍ、横幅約１，５〜２ｃｍのサイズに設定してあるが、着用者の足５１の大きさに合わせて適宜のサイズに設定できるものである。
【００１６】
２は身体機能向上具１を運動靴６の内底面６Ａに確実に固定するための支持片を示す。該支持片２は平面において横幅が約５，５〜６，０ｃｍ、縦幅が約８，０〜１０，０ｃｍの略四角形に形成し、下面２Ａを平坦面に、上面２Ｂを略凸湾曲面に形成したものからなっており、例えば軟質ゴム、軟質合成樹脂などで、身体機能向上具１よりも若干軟質の素材によって成形してある。そして、身体機能向上具１は、支持片２の前後方向中央から若干後側に寄った位置に略埋設した状態で貼着することにより、支持片２と一体化してある。
【００１７】
身体機能向上具１は単体で運動靴６の内底面６Ａに直接固着してもよいが、歩行中や運動中に足５１の力を受けて靴６内で位置ずれする恐れがあるから、支持片２と一体化することによって身体機能向上具１が位置ずれするのを防止している。支持片２は上述の構成からなり、内底面６Ａの所定の位置に接着剤によって確実に固定してある。また、支持片２は身体機能向上具１が足裏５１Ａに突起物状に当って違和感や、不快感を与えることを防止する機能も有している。
【００１８】
上述の構成からなる身体機能向上具１は、支持片２の下面２Ａを靴６の内底面６Ａに接着剤を介して貼着して使用する。身体機能向上具１を貼着する場所は、身体の中心線Ｘ−Ｘが通る足裏５１Ａの位置、即ち着用者の脛骨５２の中心の下方のポイントＡである。身体の重力と抗力は股関節によって左右の足５１、５１に分配されるので、身体の中心線Ｘ−Ｘは図３及び図４に示すようになる。このようにして、着用者は、歩行時においても運動時にも、脛骨５２の中心の下方の位置である足裏５１ＡのポイントＡを身体機能向上具１によって知覚することで、身体の中心線Ｘ−Ｘを認識することができる。
【００１９】
なお、中敷のある靴６にあっては、靴６の内底面６Ａに限らず中敷の表面又は裏面に身体機能向上具１を配置してもよいものである。
【００２０】
かくして、身体機能向上具１を使用する着用者は、右足のポイントＡを身体機能向上具１によって知覚し、重力と抗力が作用する中心線Ｘ−Ｘを認識することにより、重力に対する抗力を効果的に働かすことで身体の無駄な力を抜くことができる。これにより、脛骨５２から大腿骨が無駄なく動くことができるから、大腿骨裏側のハムストリングに続く腸腰筋もスムースに伸長し、拮抗筋である右側の腸腰筋が伸張すると左側の腸腰筋が収縮し、左側骨盤が引き上げられてハムストリングが収縮することにより、大腿骨と脛骨５２が引き上げられて左足５１が上がる。このようにして、左右の足５１、５１は、身体機能向上具１、１によってポイントＡを交互に知覚することによって速やかな動きをすることができる。
【００２１】
更に、左右の足５１、５１で重力と抗力が作用する中心線Ｘ−Ｘを認識して身体のセンターを意識することで、身体に掛る重力に対する抗力を中心線Ｘ−Ｘ上に働かすことができるから、着用者は体のバランスを保つための無駄な力を最小限にして全身の力を運動に使うことができ、歩行者は良い姿勢で安定性良く疲れも少なく歩くことができるし、運動者は体の軸を意識して全身の力を無駄なく効果的に活用できることで運動能力を更に発揮することができる。
【００２２】
なお、本実施の形態で示した身体機能向上具１及び支持片２の形状及び寸法は一例であり、本願発明は明細書の記載及び図に示す形態に限定されるものでないことは勿論である。
【図面の簡単な説明】
【００２３】
【図１】本発明の実施の形態に係る身体機能向上具の構成を示す部分断面斜視図である。
【図２】身体機能向上具の縦断面図である。
【図３】身体の中心線を示す人体の側面図である。
【図４】身体の中心線を示す人体の正面図である。
【図５】身体機能向上具の実施の形態を示す縦断面説明図である。
【符号の説明】
【００２４】
１        身体機能向上具
１Ａ      下面
１Ｂ      上面
２        支持片
６        靴（履物）
５１      足
５１Ａ    足裏
５２      脛骨
Ａ        ポイント
【図１】
0004982700.tif 000002
【図２】
0004982700.tif 000003
【図３】
0004982700.tif 000004
【図４】
0004982700.tif 000005
【図５】
0004982700.tif 000006